(57)【要約】【課題】構成を簡単にできる吸引用カテーテルおよび吸引装置を提供することである。【解決手段】吸引用カテーテル１１は、可撓性を備えた管部１４と、管部の先端側に配置された拡張機構部１５と、管部の内部に設けられたワイヤ１７とを備えている。管部１４は、吸引ポンプ１２により生体管腔の異物を生体外に排出する。拡張機構部１５は、拡張収縮することにより異物を採取する。ワイヤ１７は、管部の先端側に連結されて基端側に引き込むことにより拡張機構部を拡張する。【選択図】図１
2019083853.tif 000002
【特許請求の範囲】
【請求項１】
可撓性を備え、吸引ポンプにより生体管腔の異物が生体外に排出される管部と、
前記管部の先端側に配置され、拡張収縮することにより前記異物を採取する拡張機構部と、
前記管部の内部に設けられ、前記管部の先端側に連結されて基端側に引き込むことにより前記拡張機構部を拡張可能なワイヤと、
を備えることを特徴とする吸引用カテーテル。
【請求項２】
前記拡張機構部は、前記管部の周方向に間隔をおいて形成される複数の切込みを有し、前記切込みと前記切込みとの間に前記管部と一体に形成され、前記管部の径方向外側へ向けて膨出可能な膨出部を有する、請求項１に記載の吸引用カテーテル。
【請求項３】
前記管部に固定され、前記ワイヤを引き込む操作部を更に備え、
前記操作部は、押圧されることにより前記ワイヤを引き込み、前記拡張機構部を前記管部の径方向に拡張させる被押圧部を備える、請求項１または請求項２に記載の吸引用カテーテル。
【請求項４】
前記管部の内壁面に配置され、前記管部の内部と外部とを連通する吸気用の小径管を備える、請求項１〜３のいずれか１項に記載の吸引用カテーテル。
【請求項５】
前記管部の中央に配置され、前記管部の内部と外部とを連通する吸気用の小径管を備え、
前記小径管の内部に前記ワイヤが挿通されている、請求項１〜３のいずれか１項に記載の吸引用カテーテル。
【請求項６】
前記小径管の端部は、が前記拡張機構部よりさらに前記管部の先端側に配置される、請求項４または請求項５に記載の吸引用カテーテル。
【請求項７】
前記吸引ポンプと、
請求項１〜６のいずれか１項に記載の吸引用カテーテルと、を備えることを特徴とする吸引装置。
【発明の詳細な説明】
【技術分野】
【０００１】
本発明は、吸引用カテーテルおよび吸引装置に関するものである。
【背景技術】
【０００２】
例えば、気管支などの生体管腔に狭窄部が形成され、狭窄部に分泌物（以下、異物という）の貯留が生じた場合に、異物の貯留を解消する吸引用カテーテルが知られている。吸引用カテーテルとして、例えば、可撓性を備える中空状の管部と、管部を覆う保護部と、管部および保護部間に設けられる拡張部（すなわち、複数のワイヤ）とを備えたものが開示されている（例えば、特許文献１参照）。
【０００３】
この吸引用カテーテルによれば、管部の先端部には複数の吸引孔が形成されている。また、管部の先端に複数のワイヤの先端が連結されている。管部を保護部の先端から押し出すことにより、管部とともに複数のワイヤが保護部の先端から押し出される。この状態において、複数のワイヤの基端側を固定して、管部を保護部側に収容することにより、複数のワイヤの先端を管部側に移動する。
よって、複数のワイヤが湾曲状に拡張する。拡張した複数のワイヤで異物を絡み取って、吸引孔から管部の内部を経て外部に排出することにより、狭窄部における異物の貯留を解消できる。
【先行技術文献】
【特許文献】
【０００４】
【特許文献１】特開２０１７−１４０１１０号公報
【発明の概要】
【発明が解決しようとする課題】
【０００５】
しかし、特許文献１の吸引用カテーテルは、拡張部として複数のワイヤが管部と保護部との間に移動自在に収容されている。このため、吸引用カテーテルの構成が複雑になり、この観点から改良の余地が残されている。
【０００６】
本発明は、このような事情に考慮してなされたもので、その目的は、構成を簡単にできる吸引用カテーテルおよび吸引装置を提供することである。
【課題を解決するための手段】
【０００７】
上記の課題を解決するために本発明の一態様にかかる吸引用カテーテルは、可撓性を備え、吸引ポンプにより生体管腔の異物が生体外に排出される管部と、前記管部の先端側に配置され、拡張収縮することにより前記異物を採取する拡張機構部と、前記管部の内部に設けられ、前記管部の先端側に連結されて前記基端側に引き込むことにより前記拡張機構部を拡張可能なワイヤと、を備えることを特徴とする。
【０００８】
この構成によれば、管部の先端側に拡張機構部を配置した。この拡張機構部を生体管腔で拡張して吸引することにより、拡張機構部で生体管腔の異物を絡めとり、絡めとった異物を拡張機構部の内部に採取できる。また、拡張機構部を管部の先端側に配置することにより、従来技術のように、拡張部としての複数のワイヤを管部と保護部との間に移動自在に収容させる必要がない。
これにより、拡張機構部の構成を簡単にでき、吸引用カテーテルのコストを抑えることができる。よって、例えば、吸引用カテーテルを使い捨てとすることができる。この結果、吸引用カテーテルによる生体管腔の異物の採取が容易になり、生体管腔から異物を採取する医療行為の難度を低く抑えることができる。
【０００９】
上記態様において、前記拡張機構部は、前記管部の周方向に間隔をおいて形成される複数の切込みを有し、前記切込みと前記切込みとの間に前記管部と一体に形成され、前記管部の径方向外側へ向けて膨出可能な膨出部を有していてもよい。
【００１０】
この構成によれば、膨出部を径方向外側へ向けて膨出することにより、膨出部で生体管腔の異物を小さく分断できる。ここで、拡張機構部が拡張されることにより、切込みが広がり開口が形成される。これにより、分断した異物を膨出部間の切込み（すなわち、開口）から拡張機構部の内部に円滑に採取することができる。
また、管部の周方向に間隔をおいて複数の切込みを形成して、切込みと切込みとの間に膨出部を管部と一体に形成した。このように、管部の周方向に複数の切込みを形成するだけで膨出部を形成できる。これにより、吸引用カテーテルの構成を一層簡単にできる。
【００１１】
上記態様において、前記管部に固定され、前記ワイヤを引き込む操作部を更に備え、前記操作部は、押圧されることにより前記ワイヤを引き込み、前記拡張機構部を前記管部の径方向に拡張させる被押圧部を備えていてもよい。
【００１２】
この構成によれば、操作部の被押圧部を手で押圧するだけでワイヤを引き込んで、拡張機構部を拡張させることができる。一方、被押圧部から手を離して押圧力を解除するだけで拡張機構部を収縮させることができる。このように、被押圧部を手で押圧した後、被押圧部から手を離すだけの簡単な操作で、拡張機構部を簡単な操作で拡張、収縮させることができる。これにより、吸引用カテーテルによる異物の採取操作を容易にできる。
また、被押圧部を押し込むだけでワイヤの引込量を一定に確保できる。よって、拡張機構部の拡張量を簡単な操作で均一に確保できる。これにより、吸引用カテーテルによる異物の採取操作を一層容易にできる。
【００１３】
上記態様において、前記管部の内壁面に配置され、前記管部の内部と外部とを連通する吸気用の小径管を備えていてもよい。
【００１４】
この構成によれば、管部の内壁面に吸気用の小径管を配置し、小径管を管部の内部と外部とに連通させた。よって、拡張機構部を収縮させた状態で、拡張機構部の内部を、小径管を経て外部に連通させることができる。すなわち、拡張機構部の内部を吸引ポンプで吸引する際に、小径管を経て外部から内部に空気を導くことができる。これにより、生体管腔に吸引力を作用させることなく、拡張機構部の内部に採取した異物を拡張機構部の内部から移動させることができる。したがって、異物の採取処置の際に、患者への身体的負荷を低減することができる。
また、管部の内壁面に吸気用の小径管を配置することにより、小径管の弾性復元力を利用して、拡張機構部を拡張状態から収縮状態に一層円滑に戻すことができる。
【００１５】
上記態様において、前記管部の中央に配置され、前記管部の内部と外部とを連通する吸気用の小径管を備え、前記小径管の内部に前記ワイヤが挿通されていてもよい。
【００１６】
この構成によれば、管部の中央に吸気用の小径管を配置し、小径管を管部の内部と外部とに連通させた。よって、拡張機構部を収縮させた状態で、拡張機構部の内部を、小径管を経て外部に連通させることができる。すなわち、拡張機構部の内部を吸引ポンプで吸引する際に、小径管を経て外部から内部に空気を導くことができる。これにより、生体管腔に吸引力を作用させることなく、拡張機構部の内部に採取した異物を拡張機構部の内部から移動させることができる。したがって、異物の採取処置の際に、生体管腔に与える負荷を低減することができる。
また、管部の中央に小径管を配置することにより、拡張機構部に備えた複数の膨出部を均等に曲げ変形させることができる。よって、曲げ変形させた複数の膨出部を生体管腔の異物に均等に接触させることができる。これにより、生体管腔の異物を効率よく採取できる。
【００１７】
上記態様において、前記小径管の端部は、前記拡張機構部よりさらに前記管部の先端側に配置されていてもよい。
【００１８】
この構成によれば、拡張機構部の内部に異物を採取した状態において、異物より管部の先端側に小径管の端部を配置できる。よって、拡張機構部を収縮した状態で、拡張機構部の異物を吸引する際に、吸引方向の反対側から外気を取り入れることができる。これにより、拡張機構部の異物を円滑に吸引することができる。
【００１９】
上記の課題を解決するために本発明の一態様にかかる吸引装置は、前記吸引ポンプと、上記態様の吸引用カテーテルと、を備えることを特徴とする。
【００２０】
この構成によれば、吸引用カテーテルに吸引ポンプを備えた吸引装置の構成を簡単にできる。また、吸引装置による異物の採取処置の際に、生体管腔に与える負荷を低減することができる。さらに、生体管腔の異物を効率よく採取でき、吸引装置による異物の採取操作を容易にできる。
【発明の効果】
【００２１】
この発明の一態様の吸引用カテーテルおよび吸引装置によれば、管部の先端側に拡張機構部を配置することにより構成を簡単にできる。
【図面の簡単な説明】
【００２２】
【図１】本発明に係る第１実施形態の吸引装置を示す斜視図である。
【図２】本発明に係る第１実施形態の吸引装置において図１のＩＩ−ＩＩ線に沿う断面図である。
【図３】本発明に係る第１実施形態の拡張機構部を拡張した状態を示す側面図である。
【図４】本発明に係る第１実施形態の拡張機構部を収縮した状態を示す側面図である。
【図５】本発明に係る第１実施形態の拡張機構部において図４のＶ−Ｖ線に沿う断面図である。
【図６】本発明に係る第１実施形態の拡張機構部において図３のＶＩ−ＶＩ線に沿う断面図である。
【図７】本発明に係る第１実施形態の操作部を示す断面図である。
【図８】本発明に係る第１実施形態の吸引装置で生体管腔の異物を拡張機構部の切込みから内部に採取する例を説明する側面図である。
【図９】本発明に係る第１実施形態の吸引装置で拡張機構部の内部の異物を吸引する例を説明する側面図である。
【図１０】本発明に係る第２実施形態の吸引装置を示す断面図である。
【図１１】本発明に係る第２実施形態の拡張機構部を示す断面図である。
【図１２】本発明に係る第２実施形態の吸引装置を示す斜視図である。
【発明を実施するための形態】
【００２３】
以下、本発明に係る実施形態を図面に基づいて説明する。
（第１実施形態）
図１は、第１実施形態の吸引装置１０を示す斜視図である。図２は、図１のＩＩ−ＩＩ線断面図である。なお、図１においては、吸引装置１０の構成の理解を容易にするために管部１４の内部を透視した状態で示す。
【００２４】
図１、図２に示すように、吸引装置１０は、吸引用カテーテル１１と、吸引ポンプ１２とを備えている。吸引用カテーテル１１は、管部１４と、拡張機構部１５と、小径管１６と、ワイヤ１７と、操作部１８とを備えている。
尚、吸引ポンプ１２は、例えば、真空ポンプ、ダイアフラム式ポンプ、チューブポンプ、シリンダポンプ、電磁ポンプを含む。また、吸引ポンプ１２は、例えば、手押しゴムポンプや掃除機などであってもよい。
【００２５】
管部１４は、可撓性を有し、弾性変形可能な部材であり、生体管腔２０（図８（ａ）参照）に影響を与えることがない柔らかいゴムや樹脂で形成されている。管部１４は、中空の管状に形成された管周壁２５と、閉塞された管端部２６とを有する。管周壁２５は、生体管腔２０に倣って挿通可能に、一定の肉厚寸法で形成されている。管周壁２５の先端２５ａに拡張機構部１５を介して管端部２６が形成されている。換言すれば、管端部２６は、拡張機構部１５の先端１５ａに形成されている。管端部２６は、拡張機構部１５の先端１５ａを閉塞するように形成され（図３参照）、先端（すなわち、管部１４の先端）１４ａが球面状に突出するように形成されている。
【００２６】
管部１４の先端１４ａが球面状に形成されることにより、生体管腔２０（図８（ａ）参照）に倣って管部１４を円滑に挿通させることができる。すなわち、管部１４は、生体管腔２０に倣って挿通させ、生体管腔２０において分泌された分泌物（以下、異物という）２１（図８（ａ）参照）を生体管腔２０の外部に排出可能に形成されている。
【００２７】
図３は、第１実施形態の拡張機構部１５を拡張した状態を示す側面図である。図４は、第１実施形態の拡張機構部１５を収縮した状態を示す側面図である。図５は、図４のＶ−Ｖ線断面図である。
図３〜図５に示すように、管周壁２５と管端部２６との間（すなわち、管部１４の先端１４ａ側）には拡張機構部１５が管部１４と一体に形成されている。拡張機構部１５は、管部１４と同様に、可撓性を有し、弾性変形可能な部材であり、生体管腔２０（図８（ａ）参照）に影響を与えることがない柔らかいゴムや樹脂で形成されている。
拡張機構部１５は、複数の切込み２８と、複数の膨出部（拡張部）２９とを有する。複数の切込み２８は、管周壁２５のうち管部１４の先端１４ａ側の周壁部位２５ｂにおいて、周壁部位２５ｂの周方向に間隔をおいて形成される複数の切込み２８を有する。複数の切込み２８は、管周壁２５の長手方向に沿って所定の長さ寸法で、周壁部位２５ｂの外壁面から内壁面までスリット状に形成されている。
【００２８】
図６は、図３のＶＩ−ＶＩ線断面図である。図５、図６に示すように、隣接する切込み２８と切込み２８との間に膨出部２９が形成されている。複数の膨出部２９は、周壁部位２５ｂの周方向に連続して形成され、切込み２８と同じ長さ寸法に形成されている。換言すれば、複数の膨出部２９は、切込み２８と切込み２８との間に、管部１４（図３参照）と一体に形成されている。複数の膨出部２９は、弾性変形可能な部材である。よって、複数の膨出部２９は、拡張機構部１５が拡張するように周壁部位２５ｂの径方向外側へ向けて弾性変形により膨出可能に形成されている。また、複数の膨出部２９は、拡張機構部１５が収縮するように膨出状態から収縮状態に、自身の弾性力により復元可能に形成されている。
【００２９】
このように、周壁部位２５ｂの周方向に間隔をおいて複数の切込み２８を形成して、切込み２８と切込み２８との間に膨出部２９を管部１４と一体に形成した。すなわち、周壁部位２５ｂの周方向に複数の切込み２８を形成するだけで膨出部２９を形成できる。これにより、吸引用カテーテル１１の構成を簡単にできる。
【００３０】
図２、図４に示すように、管部１４には吸気用の小径管１６が設けられている。吸気用の小径管１６は、例えば、管部１４とは別部材で中空状に形成されている。小径管１６は、管部１４と同様に、可撓性を有し、弾性変形可能な部材であり、生体管腔２０（図８（ａ）参照）に影響を与えることがない柔らかいゴムや樹脂で形成されている。
小径管１６は、管周壁２５の窪み部３２に沿って一体に配置されている。窪み部３２は、管周壁２５の内壁面２５ｃに長手方向に延びるように断面湾曲状に形成されている。すなわち、小径管１６は、管周壁２５の内壁面２５ｃに配置されている。
なお、第１実施形態では小径管１６を管部１４と別部材で形成した例について説明するが、その他の例として、例えば、小径管１６を管部１４と同一部材で一体成形してもよい。
【００３１】
図４、図５に示すように、小径管１６は、先端寄り部位１６ａが膨出部２９の膨出内壁面２９ａの窪み部３３に沿って長手方向に延びて拡張機構部１５に固着されている。よって、拡張機構部１５を拡張状態から収縮状態に戻す際に、小径管１６の弾性復元力を利用して拡張機構部１５を収縮状態に一層円滑に戻すことができる。
特に、小径管１６の復元力を膨出部２９より高めることにより、拡張機構部１５を収縮状態にさらに円滑に戻すことができる。
尚、窪み部３３はなくてもよく、先端寄り部位１６ａは膨出内壁面２９ａに固着されていなくてもよい。小径管１６の先端寄り部位１６ａが、拡張機構部１５の膨出部２９が拡張状態から収縮状態に変形する態様に追従する構成であればよい。
【００３２】
さらに、小径管１６は、先端１６ｂが膨出部２９よりさらに管部１４の先端１４ａ側に配置される。また、小径管１６は、例えば、管周壁２５のうち操作部１８（図１参照）と吸引ポンプ１２（図１参照）との間の部位２５ｄにおいて、基端１６ｃが管部１４の外部３６に開口されている。すなわち、小径管１６は、管部１４の内部３５と外部３６とに連通されている。これにより、拡張機構部１５を収縮させた状態において、拡張機構部１５の内部３５を吸引ポンプ１２で吸引する際に、小径管１６を経て外部３６から内部３５に空気を導くことができる。
【００３３】
図３、図４に示すように、管部１４の管端部２６にはワイヤ１７が取り付けられている。具体的には、ワイヤ１７は、例えば、管部１４の管端部２６において径方向中央に先端部１７ａが埋設されることにより、管端部２６に連結されている。この状態において、ワイヤ１７は、管部１４の内部３５に張設されている。ワイヤ１７は、拡張機構部１５の径方向中央、管周壁２５の径方向中央を経て操作部１８（図１参照）に連通されている。
ワイヤ１７は、例えば、可撓性を有する金属、樹脂などで形成されている。ワイヤ１７が操作部１８の操作により管部１４の操作部１８側に引き込まれることにより、複数の膨出部２９が管部１４の径方向外側へ向けて膨出されて拡張機構部１５が拡張される。
【００３４】
図７は、第１実施形態の操作部１８を示す断面図である。図７に示すように、操作部１８は、操作部本体４１と、被押圧部４２と、規制部材４３とを備えている。操作部本体４１は、ベース４６と、支持部４７とを備えている。ベース４６は、管部１４の基端１４ｂ（図１参照）側の取付部位１４ｃに取り付けられている。支持部４７は、ベース４６に一体に形成され、管部１４に交差する方向に立ち上げられている。ベース４６は、管部１４を貫通するガイドピン４８を備えている。支持部４７の内部には筒部４９が備えられている。
ワイヤ１７は、ガイドピン４８を経て、筒部４９の先縁部４９ａに接触した状態に配置され、基端部１７ｂが支持部４７に固定されている。
【００３５】
支持部４７には被押圧部４２が取り付けられている。被押圧部４２は、筒部４９と同軸上に配置され、筒部４９の内部５２に対して進退自在に支持されている。被押圧部４２は、押圧端部５４が先細状の円錐台形に形成され、軸部５５に雄ねじ部５６が形成されている。軸部５５に押しボタン５７が形成されている。押しボタン５７は、支持部４７の外側に露出されている。
また、被押圧部４２の雄ねじ５６に規制部材４３がねじ結合されている。規制部材４３は、支持部４７に対して筒部４９の軸線方向に移動自在で、かつ、雄ねじ部５６に対して回転を規制した状態で支持されている。
【００３６】
被押圧部４２は、押圧端部５４の接触面５４ａがワイヤ１７に接触した状態で、待機位置に保持される。一方、押しボタン５７が筒部４９に向けて押圧力Ｆ１で押圧される（押し込まれる）ことにより、押圧端部５４の接触面５４ａが筒部４９の内部５２に進入する。接触面５４ａが筒部４９の内部５２に進入することにより、規制部材４３が筒部４９の先縁部４９ａに当接する。
【００３７】
よって、押圧端部５４の接触面５４ａによる筒部４９の内部５２への進入が規制される。これにより、押圧端部５４の接触面５４ａを筒部４９の内部５２に所定量だけ進入させることができる。接触面５４ａが筒部４９の内部５２に矢印Ａ方向へ所定量だけ進入することにより、接触面５４ａでワイヤ１７を筒部４９の内部５２に一定量だけ進入させることができる。これにより、管部１４の内部３５に配置されたワイヤ１７が矢印Ｂ方向に一定量だけ引き込まれる。この結果、押しボタン５７の押圧量に基づいて、複数の膨出部２９が弾性変形して拡張機構部１５を容易に径方向へ一定量拡張させることができる。
【００３８】
ここで、規制部材４３は、支持部４７に対して筒部４９の軸線方向に移動自在で、かつ、雄ねじ部５６に対して回転を規制した状態で支持されている。よって、被押圧部４２を回転することにより、接触面５４ａから規制部材４３までの規制寸法Ｌ１を調整できる。
規制寸法Ｌ１を調整することにより、押圧端部５４の接触面５４ａによるワイヤ１７の筒部４９の内部５２への進入量を調整できる。これにより、管部１４の内部３５に配置されたワイヤ１７の矢印Ｂ方向（管部１４の基端１４ｂ（図１参照）側）への引込量を調整することができる。
【００３９】
押しボタン５７を押圧してワイヤ１７を管部１４の基端１４ｂ側に引き込むことにより、管部１４の径方向外側へ向けて複数の膨出部２９を膨出させることができる。複数の膨出部２９を膨出させることにより、拡張機構部１５を管部１４の径方向外側へ拡張させることができる（図３も参照）。
つぎに、押しボタン５７から手を離して押しボタン５７への押圧力を解除すると複数の膨出部２９の弾性復元力により拡張機構部１５が収縮し、管部１４の内部３５に配置されたワイヤ１７が矢印Ｂ方向とは反対の方向に引き込まれ、操作部１８は図７に示す状態に戻る。
【００４０】
上記において、規制部材４３と支持部４７の間に押圧力Ｆ１に抗するように圧縮ばねを配置してもよい。この場合、押しボタン５７から手を離したときに、複数の膨出部２９の弾性復元力と圧縮ばねの付勢力によってワイヤ１７が矢印Ｂ方向とは反対の方向に引き込まれるので、拡張機構部１５の収縮状態への移行をスムーズに行うことができる。
なお、操作部１８として、図７の構成を例に説明したが、操作部１８として他の構成を採用することも可能である。また、被押圧部４２を回転することにより規制寸法Ｌ１を調整する構成について説明したが、規制寸法Ｌ１を調整する構成を備えないようにすることも可能である。また、調整する構成について操作時に被押圧部４２が回転しない構成を備えることも可能である。
【００４１】
図１、図３に示すように、管部１４の基端１４ｂには吸引ポンプ１２が取り付けられている。吸引ポンプ１２は、管部１４の基端１４ｂから管部１４の内部３５（図２参照）に連通されている。
吸引装置１０によれば、拡張機構部１５を拡張して吸引ポンプ１２で吸引することにより、生体管腔２０の異物２１（図８（ａ）参照）を拡張機構部１５の内部３５に採取できる。
【００４２】
また、管部１４の先端１４ａ側に拡張機構部１５を配置し、拡張機構部１５を拡張することにより切込み２８が広がり開口が形成される。よって、拡張した拡張機構部１５で生体管腔２０の異物を絡めとり、絡めとった異物を切込み２８（すなわち、開口）から拡張機構部１５の内部３５に採取できる。
拡張機構部１５は管部１４の先端１４ａ側に一体に配置（形成）されている。よって、拡張機構部１５を簡単に形成できる。これにより、吸引用カテーテル１１の構成を簡単にでき、コストを抑えることができる。この結果、吸引用カテーテル１１を使い捨てのカテーテルとすることができ、吸引用カテーテル１１による生体管腔２０からの異物２１の採取を容易にできる。すなわち、生体管腔２０から異物２１を採取する医療行為の難度を低く抑えることができる。
【００４３】
つぎに、第１実施形態の吸引装置１０で生体管腔２０の異物２１を採取する例を図８、図９に基づいて説明する。
図８は、第１実施形態の吸引装置１０で生体管腔２０の異物２１を拡張機構部１５の切込み２８から内部に採取する例を説明する側面図である。図９は、第１実施形態の吸引装置１０で拡張機構部１５の内部に採取した異物２１を吸引する例を説明する側面図である。
【００４４】
図８（ａ）に示すように、例えば、気管支などの生体管腔２０に異物２１の貯留が生じた場合に、管部１４を生体管腔２０に矢印Ｃの如く挿通する。この場合において、拡張機構部１５は収縮した状態に保たれている。
【００４５】
図８（ｂ）に示すように、押しボタン５７（図７参照）を手で押圧することによりワイヤ１７を一定量だけ矢印Ｂ方向に引き込む。よって、複数の膨出部２９を弾性変形させて管部１４の径方向外側へ向けて膨出させる。すなわち、押しボタン５７を押圧するだけの簡単な操作で拡張機構部１５の拡張量を均一に確保できる。
【００４６】
図８（ｃ）に示すように、複数の膨出部２９が膨出することにより、生体管腔２０の異物２１に接触する。膨出部２９で異物２１を押圧することにより、異物２１を膨出部２９で小さく分断できる。分断された異物２１は複数の膨出部２９に絡めとられる。
この状態において、拡張機構部１５の内部３５は、吸引ポンプ１２（図１参照）により吸引されている。これにより、分断した異物２１を膨出部２９間の切込み２８から拡張機構部１５の内部３５に円滑に矢印Ｄのごとく採取する。
【００４７】
図９（ａ）に示すように、分断した異物２１を拡張機構部１５の内部３５（図９（ｂ）参照）に採取した後、押しボタン５７（図７参照）から手を離して押しボタン５７への押圧力を解除する。これにより、上述したように、複数の膨出部２９の弾性復元力で拡張機構部１５が収縮する。
このように、押しボタン５７を手で押圧した後、押しボタン５７から手を離して押圧力を解除するだけの簡単な操作で拡張機構部１５の内部３５に異物２１を採取できる。これにより、吸引用カテーテル１１による異物２１の採取操作を容易にできる。
【００４８】
図９（ｂ）に示すように、管部１４の内部３５と外部３６とは小径管１６で連通されている。よって、拡張機構部１５の内部３５を吸引ポンプ１２（図１参照）で吸引する際に、小径管１６の先端１６ｂを経て外部３６から内部３５に空気を矢印Ｅの如く導くことができる。
これにより、生体管腔２０に吸引力を作用させることなく、拡張機構部１５の内部３５に採取した異物２１を内部３５から矢印Ｆの如く移動させることができる。よって、生体管腔２０の異物２１を生体外に採取できる。
【００４９】
また、生体管腔２０に吸引力を作用させることなく、拡張機構部１５の内部３５の異物２１を矢印Ｆの如く移動させることにより、異物２１の採取処置の際に、生体管腔２０に与える負荷を低減させることができる。
また、生体管腔２０に吸引力を作用させることなく、拡張機構部１５の異物２１を内部３５から移動させることにより、生体管腔２０に対する吸引時間を短くできる。これにより、生体管腔２０から異物２１を採取する際に、患者の呼吸が苦しくなることを抑制できる。すなわち、生体管腔２０の異物２１を生体外に採取する際の身体的負荷を低減することができる。
【００５０】
ここで、小径管１６の先端１６ｂが膨出部２９（拡張機構部１５）よりさらに管部１４の先端１４ａ側に配置される。よって、拡張機構部１５の内部３５に異物２１を採取した状態において、異物２１より管部１４の先端１４ａ側に小径管１６の先端１６ｂが配置されている。
よって、拡張機構部１５を収縮した状態で、拡張機構部１５の異物２１を吸引する際に、吸引方向の反対側から外気を取り入れることができる。これにより、拡張機構部１５の異物２１を円滑に管部１４の基端１４ｂ（図１参照）側に吸引して排出することができる。
【００５１】
つぎに、第２実施形態の吸引装置８０を図１０〜図１２に基づいて説明する。
（第２実施形態）
図１０は、第２実施形態の吸引装置８０を示す断面図である。図１１は、第２実施形態の拡張機構部１５を示す断面図である。図１２は、第２実施形態の吸引装置８０を示す斜視図である。なお、図１２においては、小径管８２と小径管支持部８５との関係の理解を容易にするために管周壁２５の内部を透視した状態で示す。
【００５２】
図１０〜図１２に示すように、吸引装置８０は、吸気用の小径管８２が小径管支持部８５によって支持されて管部１４の中央に配置され、小径管８２の中空部８３にワイヤ１７が挿通されたもので、その他の構成は第１実施形態の吸引装置１０と同様である。
小径管支持部８５は、異物２１が通過する複数の開口部８６を有した円形の薄板であり、中心部に小径管８２が挿通される挿通孔８７を備える。小径管支持部８５は、拡張機構部１５の管周壁２５の先端２５ａに隣接する管部１４の内部３５において管部１４に固着されている。また、小径管支持部８５は、管部１４と同様に、可撓性を有し、弾性変形可能な部材である。
【００５３】
ここで、吸引装置８０によれば、第１実施形態の吸引装置１０と同様に、ワイヤ１７が管部１４の径方向中央に配置されている。よって、吸気用の小径管８２の中空部８３にワイヤ１７が挿通され、さらに小径管８２が、小径管支持部８５の挿通孔８７に挿通されることにより、小径管８２が管部１４の中央に配置される。
これにより、拡張機構部１５を拡張する際に、複数の膨出部２９を均等に湾曲状に弾性変形させることができる。よって、湾曲状に弾性変形させた複数の膨出部２９を生体管腔２０の異物２１（図８（ａ）参照）に均等に接触させることができる。これにより、生体管腔２０の異物２１を効率よく採取できる。
【００５４】
尚、小径管支持部８５が複数の開口部８６を有した円形の薄板状である例を説明したが、この構成に限らない。例えば、挿通孔８７を形成する中心部から径方向外側に放射状に延在し先端を管部１４の内部３５に固着された複数のリブにより、小径管支持部８５と管部１４の内部３５において異物２１が通過する複数の開口を画定する形状であってもよい。
【００５５】
また、第１実施形態の小径管１６と同様に、管部１４の内部３５と外部３６とは小径管８２で連通されている。よって、拡張機構部１５を収縮させた状態で、拡張機構部１５の内部３５を、小径管８２を経て外部３６に連通させることができる。すなわち、拡張機構部１５の内部３５を吸引ポンプ１２（図１参照）で吸引する際に、小径管８２を経て外部３６から内部３５に空気を導くことができる。
【００５６】
これにより、生体管腔２０（図８（ａ）参照）に吸引力を作用させることなく、拡張機構部１５の内部３５に採取した異物２１を拡張機構部１５の内部３５（図９（ｂ）参照）から移動させることができる。したがって、異物２１の採取処置の際に、生体管腔２０に与える負荷を低減することができる。
また、第２実施形態において、中心部に小径管８２が挿通される挿通孔８７を備える小径管支持部８５を設けた例を説明したが、第１実施形態においても、中心部にワイヤ１７が挿通される挿通孔を備えるワイヤ支持部を設ける構成としてもよい。
【００５７】
なお、本発明の技術範囲は上述した実施形態に限定されるものではなく、本発明の趣旨を逸脱しない範囲において種々の変更を加えることが可能である。
例えば、前記第１実施形態および第２実施形態では、１本のワイヤ１７で拡張機構部１５を拡張する例について説明したがこれに限らない。その他の例として、複数本のワイヤ１７を設けることも可能である。複数本のワイヤ１７を各膨出部２９の膨出内壁面２９ａに沿って拡張機構部１５の周方向に等間隔に配置されている。
よって、複数本のワイヤ１７引き込んで拡張機構部１５を拡張する際に、複数の膨出部２９を偏りがないように均等に弾性変形させることができる。これにより、拡張機構部１５を拡張した状態において、生体管腔２０の異物２１を拡張機構部１５で良好に採取できる。
【００５８】
また、前記第１実施形態では、１本の小径管１６を拡張機構部１５の膨出内壁面２９ａに沿って配置する例について説明したがこれに限らない。その他の例として、複数本の小径管１６を拡張機構部１５の各膨出内壁面２９ａに沿って配置することも可能である。この場合、複数本の小径管１６の各先端寄り部位１６ａを各膨出部２９の膨出内壁面２９ａに沿って拡張機構部１５の周方向に等間隔に固着させてもよい。
よって、拡張機構部１５を拡張する際に、複数の膨出部２９を偏りがないように均等に弾性変形させることができる。加えて拡張機構部１５を拡張状態から収縮状態に戻す際に、小径管１６の弾性復元力を利用して拡張機構部１５の各膨出部２９を収縮状態に均等に円滑に戻すことができる。これにより、生体管腔２０の異物２１を拡張機構部１５で良好に採取できる。
【００５９】
また、前記実施形態では、管端部２６と拡張機構部１５と管周壁２５とを一体に形成した構成を例に説明したが、これらを別々に形成して連結固定する構成でもよい。この場合、管端部２６、拡張機構部１５、管周壁２５はそれぞれ異なる可撓性を有してもよい。例えば、拡張機構部１５のみを他とは異なる可撓性を有して構成することにより、複数の膨出部２９を偏りがないように拡張状態および収縮状態に弾性変形させることが可能である。
また、管端部２６、拡張機構部１５および管周壁２５の挿入、および取出時に患者への身体的負荷を低減し、生体管腔２０に影響を与えることがなく、生体管腔２０の異物２１を拡張機構部１５で良好に採取できる吸引用カテーテルを提供することができる。
【符号の説明】
【００６０】
１０，８０…吸引装置
１１……吸引用カテーテル
１２……吸引ポンプ
１４……管部
１４ａ…管部の先端
１４ｂ…管部の基端
１５……拡張機構部
１６，８２…吸気用の小径管
１６ｂ…小径管の先端（端部）
１７……ワイヤ
１８……操作部
２０……生体管腔
２１……異物
２５……管周壁
２５ｃ…管周壁の内壁面（管部の内壁面）
２８……切込み
２９……膨出部
３５……管部の内部
３６……管部の外部
４２……被押圧部
【図１】
2019083853.tif 000003
【図２】
2019083853.tif 000004
【図３】
2019083853.tif 000005
【図４】
2019083853.tif 000006
【図５】
2019083853.tif 000007
【図６】
2019083853.tif 000008
【図７】
2019083853.tif 000009
【図８】
2019083853.tif 000010
【図９】
2019083853.tif 000011
【図１０】
2019083853.tif 000012
【図１１】
2019083853.tif 000013
【図１２】
2019083853.tif 000014